(57)【要約】本発明は水道バルブに関する。本発明は供給される冷水及び温水の流量及び水温を調節して排出させるバルブカートリッジを含む水道バルブにおいて、流量調節区間で行われる回転方向の変更操作を通じて排出経路が遮られたり、直水経路またはシャワー経路の選択及び流量の調節が行われることを特徴とする。本発明は流量調節具一つの操作を通じて開閉動作は勿論、直水経路及びシャワー経路を選択したり、選択された経路の流量を調節できるようにすることによって、簡素化された構造及び操作を通じて多様な機能を具現することができる。また、本発明は水道バルブと噴射口ヘッドが統合されることによって、構造が簡単で設置場所がシンプルに処理されることができる。
2012506015.tif 000002
【特許請求の範囲】
【請求項１】
供給される冷水及び温水の流量及び水温を調節して排出させるバルブカートリッジ（１００）を含む水道バルブ（１０）において、
流量調節区間で行われる回転方向の変更操作を通じて排出経路が遮られたり、直水経路またはシャワー経路の選択及び流量調節が行われることを特徴とする水道バルブ。
【請求項２】
前記バルブカートリッジ（１００）は、冷水及び温水を分離して流入させる分離流入ディスク（１２０）と；
前記分離流入ディスク（１２０）の一側面に積層されて、左右回転操作を通じて冷水及び温水を選択または混合させる選択／混合ディスク（１３０）と；
前記選択／混合ディスク（１３０）の一側面に積層されて、選択／混合ディスク（１３０）で流入される水を排出方向に誘導する排出ディスク（１４０）と；
前記排出ディスク（１４０）の一側面に積層されて、左右回転操作を通じて水の排出を遮断したり、直水経路またはシャワー経路に誘導する遮断／経路選択ディスク（１５０）と；
前記遮断／経路選択ディスク（１５０）の一側面に一側端が締結され、他側端は外部に露出される一方、露出された外周面に流量調節ノブ（１）が締結されて、流量調節ノブ（１）の回転操作によって遮断／経路選択ディスク（１５０）が開放された状態のみで水を直水またはシャワーで排出させる流量調節具（１６０）と；
前記選択／混合ディスク（１３０）の一側面に一側端が締結され、他側端は外部に露出される一方、露出された外周面に水温調節ノブ（２）が締結されて、水温調節ノブ（２）の回転操作によって選択／混合ディスク（１３０）を回転させる水温調節具（１７０）と；
前記排出ディスク（１４０）の一側面に一側端が締結されて密閉空間を形成し、他側端は前記流量調節具（１６０）の一側端部の外周面に密着されて、流量調節具（１６０）の回転角度を制限する遮断ブッシュ（１８０）と；
前記分離流入ディスク（１２０）を収容して回転流動を防止するカートリッジベース（１１０）と；
前記カートリッジベース（１１０）と締結されて前記構成要素を収容し、前記水温調節具（１７０）の回転角度を制限するカートリッジハウジング（１９０）と；を含むことを特徴とする請求項１に記載の水道バルブ。
【請求項３】
前記流量調節ノブ（１）は前記流量調節具（１６０）の外周面に内周面が角をなした状態で嵌められ、前記水温調節ノブ（２）も前記水温調節具（１７０）の外周面に内周面が角をなした状態で嵌められて固定されることを特徴とする請求項２に記載の水道バルブ。
【請求項４】
前記流量調節区間は、前記流入される水を排出方向に誘導する排出ディスク（１４０）と前記排出ディスク（１４０）の一側面に積層されて、左右回転操作を通じて水の排出を遮断したり、直水経路またはシャワー経路に誘導する遮断／経路選択ディスク（１５０）が接する部分であることを特徴とする請求項２に記載の水道バルブ。
【請求項５】
前記バルブカートリッジ（１００）は流量調節具（１６０）と水温調節具（１７０）の端部のみが外部に露出されるように、冷水配管（Ｃ）及び温水配管（Ｈ）が連結されたバルブ本体（１１）の内部に挿入されて固定されることを特徴とする請求項２に記載の水道バルブ。
【請求項６】
前記バルブカートリッジ（１００）の外部に露出される流量調節具（１６０）の端部は排水される水を中央の直水孔（１２ａ）または外郭のシャワー孔（１２ｂ）で排出させる排出口（１２）と連結されることを特徴とする請求項２に記載の水道バルブ。
【請求項７】
前記排出口（１２）の中央は前記流量調節具（１６０）の端部に嵌められ、外周面は前記流量調節ノブ（１）の一側端内径にねじ結合されて固定されることを特徴とする請求項２に記載の水道バルブ。
【請求項８】
前記流量調節ノブ（１）と水温調節ノブ（２）はバルブ本体（１１）と排出口（１２）との間にリング状に設置されることを特徴とする請求項２に記載の水道バルブ。
【請求項９】
前記分離流入ディスク（１２０）は一側面が前記カートリッジベース（１１０）に部分的に収容されて固定される円板状のディスクで、面積の中の１／２部分に円弧状の冷水孔（１２１）及び温水孔（１２２）が対称に設けられることを特徴とする請求項２に記載の水道バルブ。
【請求項１０】
前記冷水孔（１２１）及び温水孔（１２２）は１８０度の角度範囲で形成されることを特徴とする請求項９に記載の水道バルブ。
【請求項１１】
前記選択／混合ディスク（１３０）は前記分離流入ディスク（１２０）の一側面に密着される円板状のディスクで、
中央部分に形成される選択孔（１３１）と；
前記選択孔（１３１）から外側方向に延長される９０度の角度を有する円弧状の混合孔（１３２）と；
外周面の両側に複数突出されて溝を形成して前記水温調節具（１７０）の一側端と締結させる突部（１３３）と；を含むことを特徴とする請求項２に記載の水道バルブ。
【請求項１２】
前記排出ディスク（１４０）は前記選択混合ディスク（１３０）の一側面に密着され、左右に流動しないように外周面の一部が前記カートリッジハウジング（１９０）の内周面に嵌められる円板状のディスクで、中央部分に半円状にに貫通される排出孔（１４１）を含むことを特徴とする請求項２に記載の水道バルブ。
【請求項１３】
前記遮断／経路選択ディスク（１５０）は前記排出ディスク（１４０）の一側面に密着される円形ブロックで、一側面には前記排出ディスク（１４０）の中央に形成される半円状の排出孔（１４１）と反対方向に９０度の角度を有する円弧状の直水経路誘導孔（１５１）とシャワー経路誘導孔（１５２）が対称に形成され、他側面の外周縁両側の一部に前記流量調節具と締結される嵌込溝（１５３）が形成されることを特徴とする請求項２に記載の水道バルブ。
【請求項１４】
前記直水経路誘導孔（１５１）とシャワー経路誘導孔（１５２）は他側方向では半円状に拡張形成されることを特徴とする請求項１３に記載の水道バルブ。
【請求項１５】
前記流量調節具（１６０）は前記遮断／経路選択ディスク（１５０）の直水経路誘導孔（１５１）とシャワー経路誘導孔（１５２）にそれぞれ対応する直水経路（１６１）とシャワー経路（１６２）が内部に分離されて貫通して形成されたパイプであることを特徴とする請求項２に記載の水道バルブ。
【請求項１６】
前記流量調節具（１６０）は一側端方向の外周面には回転角度の制約を受ける９０度の角度を有するストッパ（１６４）が突出して形成され、前記遮断／経路選択ディスク（１５０）と接する面の外周面に遮断／経路選択ディスク（１５０）との締結のための突片（１６５）が形成され、前記遮断／経路選択ディスク（１５０）と接する面にはパッキング（１６６）が挿入されて構成されることを特徴とする請求項２に記載の水道バルブ。
【請求項１７】
前記直水経路（１６１）は流量調節具（１６０）の一側端から他側端に連通されることを特徴とする請求項１５に記載の水道バルブ。
【請求項１８】
前記シャワー経路（１６２）は流量調節具（１６０）の一側端から他側端に連通されるうち外周面の方向に方向が切り替えてシャワー誘導孔（１６３）を通じて側面に連通されることを特徴とする請求項１５に記載の水道バルブ。
【請求項１９】
前記水温調節具（１７０）は前記カートリッジハウジング（１９０）嵌められて固定される遮断ブッシュ（１８０）によって流量調節具（１６０）と隔離されながら、流量調節具（１６０）と同心軸で結合状態に嵌められ、選択／混合ディスク（１３０）と嵌合されて回転操作されるパイプで、一側端がフランジ形態で外郭方向に延長されて、側面延長片（１７１）を形成し、前記側面延長片（１７１）の端部には前記選択／混合ディスク（１３０）と締結される嵌込突起（１７２）が形成されることを特徴とする請求項２に記載の水道バルブ。
【請求項２０】
前記遮断ブッシュ（１８０）は前記カートリッジハウジング（１９０）の内周面両側にそれぞれ垂直に形成される一対の突片（１９１）に嵌められて流動を防止する固定突起（１８１）が一側端の外周面に形成され、前記排出ディスク（１４０）に嵌合されるように、前記固定突起１８１が形成される一側端部に固定突部（１８２）が形成され、他側端には前記流量調節具（１６０）の回転角度を制限する回転誘導溝（１８３）が形成されることを特徴とする請求項２に記載の水道バルブ。
【請求項２１】
前記回転誘導溝（１８３）は２７０度の角度範囲で形成されることを特徴とする請求項２０に記載の水道バルブ。
【発明の詳細な説明】
【技術分野】
【０００１】
本発明は水道バルブに関する。
【背景技術】
【０００２】
一般的に、水道バルブは外部から供給される水道水(ボイラーを通じる温水を含む)の量を調節する一方、冷・温水を選択したり、これらを混合して水温を調節するようになった水道水を供給するための調節バルブである。
【０００３】
前記水道バルブは台所の流し台の上部に設置されたり、浴場(風呂場を含む)に設置されて必要な場合に操作して水を使用できるようにする。
【０００４】
このような水道バルブは、ノブを回して水の量を調節し、同時に冷・温水を選択したり、これらを混合して水温を調節する回転式と、レバーを上げたり下げて水の量を調節する一方、左右に回して冷・温水を選択したり、これらを混合して水温を調節するように構成されたレバー式がある。
【０００５】
この時、前記回転式水道バルブの場合、供給される冷水及び温水の流量及び水温を調節して排出させるバルブカートリッジを内部に含んでおり、前記バルブカートリッジの動作を説明すると、冷温水を分離して流入させる分離流入ディスクの冷水孔及び温水孔と前記分離流入ディスクに対して密着された状態で左右回転操作される水温調節ディスクの混合孔が一致する程度によって冷水または温水または冷水及び温水の混合が行われ(水温調節)、開閉ディスクの回転操作によって前記混合孔の開放面積が調節されて排出量(流量)が調節される。
【発明の概要】
【発明が解決しようとする課題】
【０００６】
しかし、前記のような従来回転式水道バルブの場合、水温と流量を調節する水道バルブとしての機能を具現するには無理がないが、最近のように多機能を追い求める状態では基本機能の以外に他の機能を発揮する水道バルブが要求されている。
【０００７】
また、前記のように多機能を発揮しながらも構造が簡単で、体積が大きくない水道バルブが要求される。
【課題を解決するための手段】
【０００８】
本発明は供給される冷水及び温水の流量及び水温を調節して排出させるバルブカートリッジを含む水道バルブにおいて、流量調節区間で行われる回転方向の変更操作を通じて排出経路が遮られたり、直水経路またはシャワー経路の選択及び流量の調節が行われることを特徴とする。
【発明の効果】
【０００９】
本発明は流量調節具の一つの操作を通じて開閉動作は勿論、直水経路及びシャワー経路を選択したり、選択された経路の流量を調節できるようにすることによって、簡素化された構造及び操作を通じて多様な機能を具現することができる。
【００１０】
また、本発明は水道バルブと噴射口ヘッドが統合されることによって、構造が簡単で設置場所がシンプルに処理されることができる。
【図面の簡単な説明】
【００１１】
【図１】本発明の実施形態による見掛け構成を示す斜視図である。
【図２】本発明の実施形態による詳細構成を示す断面図である。
【図３】本発明の実施形態によるバルブカートリッジの構成を示す分離斜視図である。
【図４】本発明における分離流入ディスクと選択／混合ディスクの相互作用による冷水及び温水選択及び混合状態を示す平面図である。
【図５】本発明における分離流入ディスクと選択／混合ディスクの相互作用による冷水及び温水選択及び混合状態を示す平面図である。
【図６】本発明における分離流入ディスクと選択／混合ディスクの相互作用による冷水及び温水選択及び混合状態を示す平面図である。
【図７】本発明の排出ディスクと遮断／経路選択ディスクの相互作用による排出遮断と経路選択及び選択経路開閉面積調節状態を示す平面図である。
【図８】本発明の排出ディスクと遮断／経路選択ディスクの相互作用による排出遮断と経路選択及び選択経路開閉面積調節状態を示す平面図である。
【図９】本発明の排出ディスクと遮断／経路選択ディスクの相互作用による排出遮断と経路選択及び選択経路開閉面積調節状態を示す平面図である。
【発明を実施するための形態】
【００１２】
本発明を説明するにおいて、技術の理解に役に立つように、図１は本発明の実施形態による見掛け構成を示す斜視図で、図２は本発明の実施形態による詳細構成を示す断面図で、図３は本発明の実施形態によるバルブカートリッジの構成を示す分離斜視図で、図４〜図６は本発明における分離流入ディスクと選択／混合ディスクの相互作用による冷水及び温水選択及び混合状態を示す平面図で、図７〜９は本発明の排出ディスクと遮断／経路選択ディスクの相互作用による排出遮断と経路選択及び選択経路開閉面積調節状態を示す平面図であり、ここで、符号１０は本発明の水道バルブを、１００は本発明の主要部であるバルブカートリッジを示す。
【００１３】
このように提示した添付図面を参照にして本発明を説明すれば次の通りである。
【００１４】
まず、本発明は添付図１〜図３に示すように、供給される冷水及び温水の流量及び水温を調節して排出させるバルブカートリッジ１００を含む水道バルブ１０において、流量調節区間で行われる回転方向の変更操作を通じて排出経路が遮られたり、直水経路またはシャワー経路の選択及び流量の調節が行われる。
【００１５】
ここで、本発明において、前記バルブカートリッジ１００は冷水及び温水を分離して流入させる分離流入ディスク１２０；前記分離流入ディスク１２０の一側面に積層されて、左右回転操作を通じて冷水及び温水を選択または混合させる選択／混合ディスク１３０；前記選択／混合ディスク１３０の一側面に積層されて、選択／混合ディスク１３０で流入される水を排出方向で誘導する排出ディスク１４０；前記排出ディスク１４０の一側面に積層されて、左右回転操作を通じて水の排出を遮断したり、直水経路またはシャワー経路に誘導する遮断／経路選択ディスク１５０；前記遮断／経路選択ディスク１５０の一側面に一側端が締結され、他側端は外部に露出される一方、露出された外周面に流量調節ノブ１が締結されて、流量調節ノブ１の回転操作によって遮断／経路選択ディスク１５０が開放された状態でのみ水を直水またはシャワーで排出させる流量調節具１６０；前記選択／混合ディスク１３０の一側面に一側端が締結され、他側端は外部に露出される一方、露出された外周面に水温調節ノブ２が締結されて、水温調節ノブ２の回転操作によって選択／混合ディスク１３０を回転させる水温調節具１７０；前記排出ディスク１４０の一側面に一側端が締結されて密閉空間を形成し、他側端は前記流量調節具１６０の一側端部の外周面に密着されて、流量調節具１６０の回転角度を制限する遮断ブッシュ１８０；前記分離流入ディスク１２０を収容して回転流動を防止するカートリッジベース１１０；前記カートリッジベース１１０と締結されて前記構成要素を収容し、前記水温調節具１７０の回転角度を制限するカートリッジハウジング１９０；を含むことができる。
【００１６】
この時、前記流量調節ノブ１は前記流量調節具１６０の外周面に内周面が角をなした状態で嵌められ、前記水温調節ノブ２も前記水温調節具１７０の外周面に内周面が角をなした状態で嵌められて固定されることができる。ここで、前記角をなした状態の嵌め込みとは、外周面が多角形で、内周面がこれに対応する多角形になって、回転の時空転されないようにする通常の構造である。
【００１７】
また、ここで、前記流量調節区間は前記流入される水を排出方向に誘導する排出ディスク１４０と前記排出ディスク１４０の一側面に積層されて、左右回転操作を通じて水の排出を遮断したり、直水経路またはシャワー経路に誘導する遮断／経路選択ディスク１５０が接する部分であってもよい。
【００１８】
また、ここで、前記バルブカートリッジ１００は流量調節具１６０と水温調節具１７０の端部のみが外部に露出されるように、冷水配管Ｃ及び温水Ｈが連結されたバルブ本体１１の内部に挿入して固定され、前記外部に露出される流量調節具１６０の端部は排水される水を中央の直水孔１２ａまたは外郭のシャワー孔１２ｂで排出させる排出口１２と結合されることができる。
【００１９】
この時、前記排出口１２の中央は前記流量調節具１６０の端部に嵌められ、外周面は前記流量調節ノブ１の一側端の内径にねじ結合されて固定されることができる。
また、前記流量調節ノブ１と水温調節ノブ２はバルブ本体１１と排出口１２との間にリング状に設置されることができる。
【００２０】
一方、本発明で、前記分離流入ディスク１２０は一側面が前記カートリッジベース１１０に部分的に収容されて固定される円板状のディスクで、面積の中の１／２部分に円弧状の冷水孔１２１及び温水孔１２２が対称に設けられることができる。
【００２１】
この時、前記冷水孔１２１及び温水孔１２２は１８０度の角度範囲で形成されることができる。
【００２２】
また、本発明で、前記選択／混合ディスク１３０は前記分離流入ディスク１２０の一側面に密着される円板状のディスクで、中央部分に形成される選択孔１３１；前記選択孔１３１から外側方向に延長される９０度の角度を有する円弧状の混合孔１３２；外周面の両側に複数突出されて溝を形成して、前記水温調節具１７０の一側端と締結させる突部１３３；を含むことができる。
【００２３】
この時、前記混合孔１３２は分離流入ディスク１２０の冷水孔１２１または温水孔１２２の貫通面積と一致する面積であってもよい。
【００２４】
このように形成された前記選択／混合ディスク１３０は左右に１８０度回転しながら選択孔１３１が前記分離流入ディスク１２０の冷水孔１２１と温水孔１２２の中の何れか一方または冷水孔１２１と温水孔１２２両方と連通されることができる。
【００２５】
このようにして、冷水または温水または冷水と温水を混合して所望の水温に調節することができ、前記のように連通された状態で水が中央部分の混合孔１３２に流入される。
【００２６】
一方、本発明で、前記排出ディスク１４０は前記選択混合ディスク１３０の一側面に密着され、左右流動しないように外周面の一部が前記カートリッジハウジング１９０の内周面に嵌められる円板状のディスクで、中央部分に半円状に貫通される排出孔１４１を含むことができる。
【００２７】
このようになると、前記選択／混合ディスク１３０の中央に形成される混合孔１３２に流入される水を排出方向に誘導することができる。
【００２８】
また、本発明で、前記遮断／経路選択ディスク１５０は前記排出ディスク１４０の一側面に密着される円形ブロックで、一側面には前記排出ディスク１４０の中央に形成される半円状の排出孔１４１と反対方向に９０度の角度を有する円弧状の直水経路誘導孔１５１とシャワー経路誘導孔１５２が対称に形成され、他側面の外周縁の両側一部に前記流量調節具と締結される嵌込溝１５３が形成されることができる。
【００２９】
このようになると、前記遮断／経路選択ディスク１５０の直水経路誘導孔１５１とシャワー経路誘導孔１５２が平常時には前記排出ディスク１４０の中央に形成された半円の排出孔１４１と一致しない状態で水の排出を遮断しているが、左側または右側に回転された状態によって直水経路またはシャワー経路に水を誘導する。
【００３０】
この時、前記左側または右側への回転角度によって直水またはシャワーの流量が調節される。
【００３１】
この時、前記直水経路誘導孔１５１とシャワー経路誘導孔１５２は他側方向では半円形態に拡張して形成されることができる。
【００３２】
一方、本発明で、前記流量調節具１６０は前記遮断／経路選択ディスク１５０の直水経路誘導孔１５１とシャワー経路誘導孔１５２にそれぞれ対応する直水経路１６１とシャワー経路１６２が内部に分離されて貫通して形成されたパイプで、一側端方向の外周面には回転角度の制約を受ける９０度の角度を有するストッパ１６４が突出して形成され、前記遮断／経路選択ディスク１５０と接する面の外周面に遮断／経路選択ディスク１５０との締結のための突片１６５が形成され、前記遮断／経路選択ディスク１５０と接する面にはパッキング１６６が挿入されて構成されることができる。
【００３３】
この時、前記直水経路１６１は流量調節具１６０の一側端から他側端に連通されることができ、前記シャワー経路１６２は流量調節具１６０の一側端から他側端に連通されるうち外周面の方向に方向が切り替えてシャワー誘導孔１６３を通じて側面に連通されることができる。
【００３４】
また、本発明で、前記水温調節具１７０は前記カートリッジハウジング１９０に嵌められて固定される遮断ブッシュ１８０によって流量調節具１６０と隔離されながら、流量調節具１６０と同心軸で結合された状態で嵌められ、選択／混合ディスク１３０と嵌合されて回転操作されるパイプで、一側端がフランジ形態に外郭方向に延長されて側面延長片１７１を形成し、前記側面延長片１７１の端部には前記選択／混合ディスク１３０と締結される嵌込突起１７２が形成されることができる。
【００３５】
このようになると、前記流量調節具１６０と相互干渉しないで回転操作が行われ、カートリッジハウジング１９０の内周面に突出して形成された突片１９１によって前記側面延長片１７１が回転角度が制限されて所定角度（左側と右側にそれぞれ９０度内）内で左右に回転され、端部に締結された選択／混合ディスク１３０を回転させる。
【００３６】
また、本発明で、前記遮断ブッシュ１８０は前記カートリッジハウジング１９０の内周面の両側にそれぞれ垂直に形成される一対の突片１９１に嵌められて流動を防止する固定突起１８１が一側端の外周面に形成され、前記排出ディスク１４０に嵌合されるように、前記固定突起１８１が形成される一側端部に固定突部１８２が形成され、他側端には前記流量調節具１６０の回転角度を制限する回転誘導溝１８３が形成されることができる。
【００３７】
この時、前記回転誘導溝１８３は２７０度の角度範囲で形成されることができる。
【００３８】
このようになると、前記回転誘導溝１８３に前記流量調節具１６０のストッパ１６４が対応して回転しながら、左側と右側にそれぞれ９０度の角度内のみで回転操作される。
【００３９】
そこで、流量調節具１６０に締結されて回転する遮断／経路選択ディスク１５０が回転しながら排出ディスク１４０の排出孔１４１と連通される状態によって水の排出を遮断または直水経路またはシャワー経路を連通させて水を排出させる。
【００４０】
このように構成される本発明の作用を説明すれば次の通りである。
【００４１】
まず、本発明は図４に示すように、前記分離流入ディスク１２０の冷水孔１２１と温水孔１２２を前記選択／混合ディスク１３０の選択孔１３１が全部開放した状態に位置した時を平常時の基本状態に説明する。
【００４２】
前記のような状態では、冷水と温水が全部流入される状態で、このように冷水と温水が混合された水は選択／混合ディスク１３０の中央混合孔１３２に流入されて排出ディスク１４０の排出孔１４１に誘導される。
【００４３】
この時、もし、図５及び図６に示すように、選択／混合ディスク１３０を左側または右側、即ち、冷水孔１２１方向または温水孔１２２方向に回転させると、冷水孔１２１または温水孔１２２に流入される冷水または温水が選択孔１３１に流入されて混合孔１３２を経って排出孔１４１に誘導される。
【００４４】
この時、図示しないが、冷水と温水を混合する時、冷水孔１２１と温水孔１２２の開閉面積の割合によって水温を調節することができる。
【００４５】
ここで、前記選択／混合ディスク１３０の回転操作は突部１３３に嵌められて締結された水温調節具１７０によって可能であり、前記水温調節具１７０は前述した水温調節ノブ２によって操作される。
【００４６】
前記のように、前記分離流入ディスク１２０の冷水孔１２１及び温水孔１２２と前記選択／混合ディスク１３０の選択孔１３１の開閉状態によって、冷水または温水または混合水（水温調節された）は、図７に示すように、排出ディスク１４０の排出孔１４１に誘導されたり、遮断／経路選択ディスク１５０の遮断面、即ち、直水経路誘導孔１５１とシャワー経路誘導孔１５２以外の面が前記排出孔１４１を遮断していて、バルブカートリッジ１００の外部で排出されない。
【００４７】
この時、図８に示すように、遮断／経路選択ディスク１５０を左側方向に回転、即ち、前記直水経路誘導孔１５１を前記排出ディスク１４０の排出孔１４１に一致させると、直水経路に水が排出され、その一致された面積の割合によって直水経路に排出される流量が調節される。
【００４８】
また、図９に示すように、遮断／経路選択ディスク１５０を右側方向に回転、即ち、前記シャワー経路誘導孔１５２を前記排出ディスク１４０の排出孔１４１に一致させると、直水経路に水が排出され、その一致された面積の割合によって直水経路に排出される流量が調節される。
【００４９】
ここで、前記遮断／経路選択ディスク１５０の回転操作は前記流量調節具１６０の突片１６５と締結されていて、流量調節具１６０の回転操作によって可能であり、前記流量調節具１６０は前述した流量調節ノブ１によって操作される。
【００５０】
このように、前記遮断／経路選択ディスク１５０の回転操作によって直水とシャワー経路が選択されると、前記流量調節具１６０に形成された直水経路１６１またはシャワー経路１６２を通じて水が排出口１２の対応する噴射孔、即ち、直水孔１２ａまたはシャワー孔１２ｂで噴射排出される。
【００５１】
前記のように、本発明は流量調節具１６０一つの操作を通じて開閉動作は勿論、直水経路及びシャワー経路を選択したり、選択された経路の流量を調節できるようにすることによって、簡素化された構造及び操作を通じて多様な機能の具現が可能である。
【００５２】
また、本発明は水道バルブ１０と噴射口ヘッドが統合されることによって、構造が簡単で設置場所がシンプルに処理される。
【００５３】
以上、本発明を本発明の原理を例示するための好ましい実施形態について説明したが、本発明は前記実施形態によって説明された構成及び作用に限定されるのではない。
【００５４】
添付された請求範囲の思想及び範囲を逸脱しないで、本発明に対する多数の変更及び修正が可能であることは当業者にとって自明である。
【００５５】
従って、このような適切な変更、修正及び均等物も本発明の範囲に属するものと理解すべきである。
【符号の説明】
【００５６】
１０：  水道バルブ  
１１：  バルブ本体
１２：  排出口
１２ａ：直水孔
１２ｂ：シャワー孔  
１００：  水道バルブカートリッジ
１１０：  カートリッジベース  
１２０：  分離流入ディスク
１２１：  冷水孔  
１２２：  温水孔
１３０：  選択／混合ディスク  
１３１：  選択孔
１３２：  混合孔  
１３３：  突部
１４０：  排出ディスク  
１４１：  排出孔
１５０：  遮断／経路選択ディスク  
１５１：  直水経路誘導孔
１５２：  シャワー経路誘導孔  
１５３：  嵌込溝
１６０：  流量調節具  
１６１：  直水経路
１６２：  シャワー経路  
１６３：  シャワー排水孔
１６４：  ストッパ  
１６５：  突片
１７０：  水温調節具
１７１：  側面延長片
１７２：  嵌込突起  
１８０：  遮断ブッシュ
１８１：  固定突起  
１８２：  固定突部
１９０：  カートリッジハウジング  
１９１：  固定突片
１：  流量調節ノブ  
２：  水温調節ノブ
【図１】
2012506015.tif 000003
【図２】
2012506015.tif 000004
【図３】
2012506015.tif 000005
【図４】
2012506015.tif 000006
【図５】
2012506015.tif 000007
【図６】
2012506015.tif 000008
【図７】
2012506015.tif 000009
【図８】
2012506015.tif 000010
【図９】
2012506015.tif 000011
【国際調査報告】
2012506015.tif 000012
2012506015.tif 000013
2012506015.tif 000014
2012506015.tif 000015